(57)【要約】【解決手段】複数層を持つマルチメディア情報のための無線送信システムは、報告されたチャネル条件、移動局位置、及び／又は特定の層のために使用される順方向誤り訂正（ＦＥＣ）に基づいて、送信すべき層を選択する基地局（ＢＴＳ）を含んでいる。各ＦＥＣレート又は送信電力は、少なくとも一つの移動局から要求があると、利用可能な帯域幅、及び／又は現在のチャネル使用、及び／又は優先度に依存して、各層のために動的に確立することができる。
2006526965.tif 000002
【特許請求の範囲】
【請求項１】
複数の層を持つマルチメディア情報のための無線送信システムであって、
チャネル条件、移動局位置、移動局制限、ユーザ優先度、コンテンツ優先度、料金プラン、利用可能な帯域幅、及び特定の層のために使用される順方向誤り訂正のうちの少なくとも一つに基づいて、送信する層を選択することと、
少なくとも一つの移動局から要求があると、利用可能な帯域幅、現在のチャネル利用及び／又は優先度、ユーザ設定、移動局能力、ユーザ料金プランのうちの少なくとも一つに依存して、各層について、各順方向誤り訂正レートと、各電力とのうちの少なくとも一つを動的に確立することと、
のうちの少なくとも一つを行う少なくとも一つの基地局を備えた無線送信システム。
【請求項２】
請求項１に記載のシステムにおいて、
実際の誤り率が少なくとも特定の層について閾値に等しければ、前記基地局が前記特定の層以外の層のみを送信することによって、移動局が、使用可能な層を捕捉することのみのために無線にエネルギーを与えられるようにし、移動局のバッテリ寿命と復号処理電力とを節約するシステム。
【請求項３】
請求項２に記載のシステムにおいて、
前記基地局は、移動局によって受信、復調、及び復号されるべき十分な順方向誤り訂正を適用する層のみを送信することによって、チャネル誤りにより、使用できないほど損傷を受けるマルチメディアデータ層のために貴重なビットが使用されないように帯域幅を節約するシステム。
【請求項４】
少なくとも基本層と少なくとも一つのエンハンスメント層とによって特徴付けられるマルチメディアデータの送信のための方法であって、
少なくとも一つの移動局から、前記マルチメディアデータに関連付けられた少なくとも一つの実際の動作パラメータを示す情報を受信することと、
少なくとも一つの実際の動作パラメータを示す情報に少なくとも部分的に基づいて、前記マルチメディアデータの少なくとも一つの層の電力レベルと誤り訂正レートとのうちの少なくとも一つを動的に確立することと
を備えた方法。
【請求項５】
請求項４に記載の方法において、前記実際の動作パラメータは誤り率である方法。
【請求項６】
請求項４に記載の方法において、
前記実際の動作パラメータは、チャネル条件、移動局位置、移動局制限、ユーザ優先度、コンテンツ優先度、料金プラン、及び特定の層に使用される順方向誤り訂正のうちの少なくとも一つを示す方法。
【請求項７】
請求項４に記載の方法において、
前記受信する動作と確立する動作とは、無線通信ネットワークの基地局で行われる方法。
【請求項８】
請求項４に記載の方法において、前記移動局は無線式である方法。
【請求項９】
請求項４に記載の方法において、
前記動的に確立する動作は、前記基本層のための基本誤り率と、前記エンハンスメント層のためのエンハンスメント誤り率とを確立することであって、前記基本誤り率と前記エンハンスメント誤り率とは等しくなるように強制されていないことを含む方法。
【請求項１０】
請求項４に記載の方法において、
前記実際の動作パラメータが閾値に少なくとも等しいことを、前記情報が示すのであれば、前記少なくとも一つの層の誤り訂正レートが、より信頼性高くなされる方法。
【請求項１１】
請求項１０に記載の方法において、
前記少なくとも一つの層の誤り訂正レートは、チャネル条件、移動局位置、移動局制限、ユーザ優先度、コンテンツ優先度、料金プラン、利用可能な帯域幅、及び特定の層のために使用される順方向誤り訂正のうちの少なくとも一つに依存して、より信頼性高くなされる方法。
【請求項１２】
請求項１０に記載の方法において、
前記実際の動作パラメータは、より信頼性が高くされた前記誤り訂正レートを持つ前記少なくとも一つの層に関連付けられている方法。
【請求項１３】
請求項４に記載の方法において、
前記実際の動作パラメータが閾値に少なくとも等しいことを、前記情報が示すのであれば、前記パラメータに関連付けられた層が、送信から除かれる方法。
【請求項１４】
請求項４に記載の方法において、
前記実際の動作パラメータが閾値に少なくとも等しいことを、前記情報が示すのであれば、前記パラメータに関連付けられた層が、送信から選択的に除かれる方法。
【請求項１５】
請求項４に記載の方法において、
前記実際の動作パラメータが閾値に少なくとも等しいことを、前記情報が示すのであれば、少なくとも一つの移動局が、前記パラメータに関連付けられた層を無視するようにシグナルされる方法。
【請求項１６】
請求項４に記載の方法において、
前記実際の動作パラメータが閾値に少なくとも等しいことを、前記情報が示すのであれば、少なくとも一つの移動局が、前記パラメータに関連付けられた層を無視するように選択的にシグナルされる方法。
【請求項１７】
デジタルマルチメディアを少なくとも一つの無線移動局に無線送信する基地局であって、
前記マルチメディアの第一の層のための第一の誤り訂正レートと第一の電力とのうちの少なくとも一つを確立する手段と、
前記マルチメディアの第二の層のための第二の誤り訂正レートと第二の電力とのうちの少なくとも一つを確立する手段と
を備えた基地局。
【請求項１８】
請求項１７に記載の基地局において、前記確立する手段が、動的に動作する基地局。
【請求項１９】
請求項１７に記載の基地局において、
少なくとも一つの移動局から、前記マルチメディアデータに関連付けられた少なくとも一つの実際の動作パラメータを示す情報を受信する手段を更に備えた基地局。
【請求項２０】
請求項１９に記載の基地局において、
前記実際の動作パラメータは、誤り率、少なくとも一つのチャネル条件、及び少なくとも一つの移動局位置のうちの少なくとも一つである基地局。
【請求項２１】
請求項１９に記載の基地局において、
前記実際の動作パラメータが閾値に少なくとも等しいことを、前記情報が示すのであれば、前記少なくとも一つの層の誤り訂正レートが、より信頼性高くなされる基地局。
【請求項２２】
請求項１９に記載の基地局において、
前記少なくとも一つの層の誤り訂正レートは、利用可能な帯域幅、及びより高いサービス品質を求める移動局のうちの少なくとも一つに依存して、より信頼性高くなされる基地局。
【請求項２３】
請求項１９に記載の基地局において、
前記実際の動作パラメータが閾値に少なくとも等しいことを、前記情報が示すのであれば、前記パラメータに関連付けられた層が、送信から除かれる基地局。
【請求項２４】
請求項１９に記載の基地局において、
前記実際の動作パラメータが閾値に少なくとも等しいことを、前記情報が示すのであれば、前記移動局が、前記パラメータに関連付けられた層を無視するようにシグナルされる基地局。
【発明の詳細な説明】
【技術分野】
【０００１】
本発明は、一般に、マルチメディア送信に関する。
【背景技術】
【０００２】
ビデオやオーディオ等のマルチメディアは、ケーブル、インターネット、セルラ、及び放送を含む多くの経路によって送信することができる。例えば、衛星又は地上放送局、又は携帯システムは、マルチメディアを、移動電話等の移動計算デバイスに送信するために使用できる。マルチメディアデータは、例えばＭＰＥＧ−１、ＭＰＥＧ−２（ＤＶＤフォーマットのためにも使用される）、ＭＰＥＧ−４、及びその他のブロックベースの変換コデックのようなMoving Pictures Expert Group（ＭＰＥＧ）規格に従ってフォーマットすることができる。本質的に、個々のビデオフレームについて、これらマルチメディア規格は、Joint Photographic Experts Group（ＪＰＥＧ）圧縮を使用する。ＪＰＥＧでは、単一フレームの画像は、一般に、ピクセルからなる小さなブロック（通常、８×８、及び／又は１６×１６ピクセルブロック）に分割される。これらは、離散コサイン変換（ＤＴＣ：discrete cosine transform）機能を用いて符号化され、ピクセルによって表される空間強度値が、ブロック内において最も低い周波数から最も高い周波数まで大まかに調整された空間周波数値に変換される。そして、ＤＣＴ値が量子化される。すなわち、この変換は、例えば、全ての値を１０で割り、最も近い整数に丸めることによって、かたまりにグルーピングすることにより低減される。ＤＣＴ関数は、大きな数をブロックの左上隅の近くに置き、小さな数を右下隅の近くに置くプログレッシブな重み付けを含んでいるので、特別なジグザグ規則の値が適用され、ランレングス符号化（本質的には、例えば、全ての零値を格納する代わりに、連続的に表れる零値のカウント数を格納する）によって、更なる圧縮を容易にする。要求されると、結果として生じる数は、Ｈｕｆｆｍａｎ符号化を用いて展開されるテーブルからシンボルを探索するために使用され、最も一般的な数について短いシンボルが生成される。これは、「可変長符号化」と一般に称される演算である。演算符号化を含む他の可変長符号化スキームもまた同様に使用することができる。動画は、単一の画像の空間的な次元に、時間的な次元を加える。ＭＰＥＧは、本質的には、動作推定を用いて、映像ストリームをさらに圧縮する圧縮技術である。例えばウェーブレットや、マッチング追跡等のその他の非ブロックベースの符号化スキームを用いることもできる。その他のマルチメディアの型式は、オーディオ、グラフィックス等を含む。
【０００３】
ポイントトゥポイントプロトコル（ＰＰＰ）フレームのＩＰパケットのようなインターネットプロトコル（ＩＰ）ベースの原理は、ＭＰＥＧデータを含むマルチメディアデータを通信するために使用することができる。ＰＰＰは、インターネットの有線部分を介して、ＩＰパケットを通信するためのみならず、限定される訳ではないが、符号分割多元接続（ＣＤＭＡ）技術、ＧＳＭ、広帯域ＣＤＭＡ（ＷＣＤＭＡ又はＵＭＴＳ）、ＯＦＤＭ、及びその他の無線技術のような無線通信原理を適用しているユーザコンピュータに、無線送信経路を介して、データを通信するためにも使用することができる。
【０００４】
一般に、マルチメディアデータは量が多い。これは、あいにく有限なリソースしかないが、かなりの送信経路帯域幅が使用されねばならないことを意味している。これは特に、例えば高解像度映像のようなハイファイマルチメディアの場合である。すなわち、提供されるサービス品質（ＱｏＳ）がより高くなると、より多くの帯域幅を使用する必要がある。
【０００５】
本発明によって認識されるように、幾つかのマルチメディアストリームが、単一チャネル内にともにプールされることが可能である。チャネルは、ビットレートについて不変の全体帯域幅を持つかもしれない。すなわち、単位時間毎にチャネルに送信されるビット数は、このチャネルの「帯域幅」を超えることはできない。一般に、チャネル内の各ストリームは、帯域幅の固定された部分が与えられる。従って、各マルチメディアストリームのためのビットレートは、一般に固定されている。
【０００６】
「基本層」は、ＭＰＥＧ関連用語である。これは、マルチメディアビットストリームの最も重要な部分として定義され、正しく受信され、符号化され、ユーザに表示されると、ビデオ、オーディオ、又はユーザに受け入れられるその他のマルチメディアストリームの基本ラインレベルとなる。一方、「エンハンスメント層」は、「基本層」と結合されると、ユーザに示された時、マルチメディアストリームの品質、解像度、周波数、信号対雑音比等を、「基本層」のみの場合と比べて、向上又は改善する。
【０００７】
上述した議論を念頭において、マルチメディアの無線送信においては、二つの目的、すなわち、効率的な帯域幅使用と、最高のＱｏＳとが互いに競合することが認められるであろう。無線チャネルは、有線チャネルよりもより「喪失する」と考える場合（それらは、データ喪失をより経験している）、これはまさに事実である。より高いレベルのＱｏＳを保証するために、喪失したデータの再送信のために、特別な帯域幅が必要とされるかもしれない。そうでなければ、喪失したデータフレーム、すなわち低下したＱｏＳを受け入れることになる。受信機は基地局からより遠くなると、これらの問題がますます厳しくなり、チャネルを多く使用する。再送信に対する代替案として、低下したＱｏＳを経験する受信機内のソフトウェアアプリケーションが、高度な誤り訂正スキームを実行することを試みることができるが、これは、受信機のバッテリを浪費し、やはり受け入れられない低いＱｏＳとなる。これらの問題点を認識し、本願では、これらのうちの一つまたは複数に対する後述するような解決策が提供される。
【特許文献１】米国特許出願０２０３９２号
【特許文献２】米国特許出願０２０７２６号
【特許文献３】米国特許出願０２０７２７号
【特許文献４】米国特許出願０３０２３７号
【特許文献５】米国特許第４，９０１，３０７号
【特許文献６】米国特許第５，１０３，４５９号
【特許文献７】米国特許出願０８／９６３，３８６号
【特許文献８】米国特許出願０２０２９３号
【特許文献９】米国特許出願０３００７２号
【特許文献１０】米国特許出願０２０５９０号
【特許文献１１】米国特許出願０２０５９１号
【発明の開示】
【０００８】
少なくとも基本層と一つのエンハンスメント層とを持つマルチメディアのための無線送信システムでは、基地局（ＢＴＳ）が、チャネル条件、移動局位置、移動局制限、ユーザ優先度、コンテンツ優先度、料金プラン、及び特定の層のために使用される順方向誤り訂正（ＦＥＣ）のうちの少なくとも一つに基づいて、マルチメディアストリームのうちどの層を送信するのかを選択する。
【０００９】
したがって、移動局受信機がマルチメディア信号の送信及び受信中である時間が最小化され、移動局における電力消費が低減される。更に、携帯サービスプロバイダは、帯域幅割り当て、帯域幅使用量、及びＢＴＳ負荷バランスに対して優れた制御を行うことができる。ＢＴＳは、移動デバイスから要求があると、利用可能な帯域幅と、現在のチャネル使用及び優先度とに依存して、異なるＦＥＣレート及び／又は異なる電力レベルを適用することができる。各層についてのＦＥＣレート及び／又は電力レベルの変化を考慮し、利用できない層を送信しないことによって、最も重要な層の配信を保証することができる。特定のマルチメディアストリーム層上で使用されるＦＥＣに対する誤り率が高すぎるのであれば、ＢＴＳは、最も効率的に使用することができる層を送信するのみのために選択して良く、移動局は、移動局が使用できる層に関連付けられたビットを捕捉するのに十分な時間のみ無線の電源を入れる。これは移動局のバッテリ寿命と、復号処理電力とを節約する。またＢＴＳは、移動局によって受信され、復調され、復号されるのに十分なＦＥＣを適用している層を単に送信することによって、マルチメディアを送信するために必要な合計時間を減らすこともできる。これは、チャネル誤りによって、利用できなくなるほどひどく損傷を受けるマルチメディアデータ層のために、貴重なビットが使用されないので、システム帯域幅を節約する。念頭においておくべき重要な局面は、層を送信することの決定は、本願に参照により組み込まれている本譲受人の係属中米国特許出願番号０２０３９２号（特許文献１）の開示に従って、ＢＴＳ、ユーザ設定、又は移動局制限のうちの何れかによって却下されうることである。
【００１０】
別の局面では、基本層と少なくとも一つのエンハンスメント層とによって特徴付けられるマルチメディアデータの送信方法は、逆方向アクセスチャネルを経由して、少なくとも一つの移動局から、ページングチャネル、オーバヘッドチャネル、又はその他のチャネル、マルチメディアデータに関連付けられた少なくとも一つの実際の動作パラメータを示す情報を受信することを含む。この方法はまた、マルチメディアデータの少なくとも一つの層の誤り訂正レートを、少なくとも一つの実際の動作パラメータを示す情報に少なくとも部分的に基づいて動的に確立することを含む。
【００１１】
好適には、実際の動作パラメータは、実際の誤り率、チャネル条件、移動局位置、移動局制限、ユーザ優先度、コンテンツ優先度、及び料金プランであるかもしれない。この動的に確立する動作は、基本層のための基本誤り率、及びエンハンスメント層のためのエンハンスメント誤り率を確立することを含みうる。なお、基本誤り率とエンハンスメント誤り率とは等しくなるように強制されていない。
【００１２】
移動局からの情報が、実際の動作パラメータが閾値に少なくとも等しいことを示すのであれば、利用可能な帯域幅、及び／又はより高いサービス品質に対する移動局要求に依存して、少なくとも一つの層の誤り訂正レートが、より信頼性高くされる。この実際の動作パラメータは、誤り訂正レートがより信頼性高くされる層に関連付けられる。
【００１３】
また、この情報が、実際の動作パラメータが閾値に少なくとも等しいことを示すのであれば、このパラメータに関連付けられた層は、送信から取り除かれるであろう。あるいは、この情報が、実際の動作パラメータが閾値に少なくとも等しいことを示すのであれば、移動局は、このパラメータに関連付けられた層を無視するようにシグナルされる。しかしながら、オーバヘッドメッセージ又はその他のシグナリングは、マルチキャストグループの現在の部分である幾つかの電話が、どの層を復号するのかを決定するために使用する情報を提供する。
【００１４】
別の局面では、デジタルマルチメディアを無線移動局に無線送信する基地局は、マルチメディアの第一の層のための第一の誤り訂正レートを確立する手段と、マルチメディアの第二の層のための第二の誤り訂正レートを確立する手段とを含む。
【００１５】
本発明の詳細は、その構造及び動作の両方に関して、同じ参照符号が同じ部分を参照している添付図面を参照して最も良く理解することができる。
【発明を実施するための最良の形態】
【００１６】
まず、図１に示す限定しない好適な実施例に示すように、システム１０は、少なくとも一つのプロセッサ１４を持つ少なくとも一つの移動局１２と、デジタルマルチメディアストリームを送信するとともに、プロセッサ１８を持っている少なくとも一つの基地局（ＢＴＳ）１６と含んでいる。いくつかの実施では、ＢＴＳ１６は、ＢＴＳと基地局コントローラ（ＢＳＣ）とを組み合わせたものかもしれない。
【００１７】
好適で限定しないＢＴＳ１６は、無線手段を使用する。より具体的には、符号分割多元接続（ＣＤＭＡ）原理を使用する。このストリームは、要求されると、複数の移動局１２へブロードキャスト又はマルチキャストされる。あるいは、ポイントトゥポイント無線送信原理を用いて送信されるか、又はユーザグループへマルチキャストされる。本原理は、ケーブルシステム、インターネット等によるマルチメディアの送信に加えて、例えばＧＳＭ、ＴＤＭＡ、広帯域ＣＤＭＡ、ＯＦＤＭ等のような他の型式の無線通信にあてはまることが理解されるべきである。単数形で用いられている「マルチメディア」は、例えば単一音楽、又は潜在的に同伴するテキスト及び画像等を伴う単一テレビショー又は映画のような単一プログラムを示す単一ストリームを意味する。
【００１８】
一つの限定しない好適な実施では、システム１０は、例えば、ｃｄｍａ２０００、ｃｄｍａ２０００  ３×、ｃｄｍａ２０００  高データレート（ＨＤＲ）原理、又はその他のＣＤＭＡ原理を用いる符号分割多元接続（ＣＤＭＡ）システムである。一つの限定しない実施例では、移動局１２は、符号分割多元接続（ＣＤＭＡ）原理及びＣＤＭＡオーバザエア（ＯＴＡ：over-the-air）通信空気インタフェースを使用する京セラ、サムソン、又はその他の製造者によって製造された移動電話である。しかしながら、本発明は、例えば、ラップトップコンピュータ、無線ハンドセット又は電話、データトランシーバ、又はページング及び位置決め受信機のようなその他の無線局にもあてはまる。移動局１２は、要求されるように、車両（車、トラック、ボート、飛行機、列車を含む）内に搭載されるようにハンドヘルド又はポータブルでありうる。しかしながら、無線通信デバイスは一般に移動局であると見られる一方、本発明は、ある実施において、「固定型」ユニットにもあてはまることが理解されるべきである。また、本発明は、デジタル化されたビデオ情報を含む音声及び／又はデータ情報を転送するために使用されるデータモジュール又はモデムにあてはまり、有線又は無線リンクを用いて、その他のデバイスと通信する。更に、モデム又はモジュールを、複数の通信チャネルによって情報を転送するために、予め定められ調整された、あるいは関連付けられた手法で動作させる命令が使用されるかもしれない。一つの例は、本願で引用して援用している本譲受人の係属中米国特許出願番号０２０７２６（特許文献２），０２０７２７（特許文献３）で明らかにされているように、異なる通信システムからなる異なる物理層を含む異なるチャネルによって、異なる層を転送することでありうる。無線通信デバイスはまた、しばしばユーザ端末、移動局、移動ユニット、加入者ユニット、移動無線又は無線電話、無線ユニット、あるいはある通信システムにおいては単に「ユーザ」及び「モバイル」と称される。本発明は、限定することなく、ＧＳＭデバイス、時分割多元接続（ＴＤＭＡ）システム、ＯＦＤＭ（８０２．１１）等を含むその他の種類の無線デバイスにも等しくあてはまることも理解されるべきである。
【００１９】
図２に示すように、入力ビット２０は、層化されたマルチメディアストリームを示す情報を含む。各マルチメディアストリームは、最小のサービス品質（ＱｏＳ）を与える基本層と、高められたＱｏＳを与える一つ又は複数のエンハンスメント層とを含む。
【００２０】
このビット２０は、エンコーダ２２に送られる。エンコーダ２２は、当該技術分野で知られている畳み込み符号化技術を用いて、ビット２０内に冗長を導入する順方向誤り訂正（ＦＥＣ）エンコーダでありうる。これを行うために、好適なエンコーダ２２は、ＢＴＳプロセッサ１８の制御の下、実質的に、多くのビット数をサポートするために、増加された帯域幅を必要にすることを犠牲にして、より高い信頼性のために更なる冗長を生成するか、あるいは、受信機におけるより多くの訂正不可能な誤りのリスクを犠牲にして、帯域幅を節約するために、より少ない冗長を生成する誤り訂正レートを確立する。従って、エンコーダ２２により導入された冗長によって、移動局１２は、送信電力を増加する必要なく、いくつかの検出誤りを訂正することが可能となる。
【００２１】
エンコーダ２２の出力は、一般に、「符号シンボル」と称される。一般に、エンコーダ２２に入力された単一のメッセージデータビット２０は、エンコーダ２２から出力される一つ又は複数の符号シンボルに対応している。別のアプローチでは、エンコーダ２２は、上述した冗長符号化の前に、「ソース符号化」機能を実行する。ソース符号化は、冗長の導入、及び符号シンボルの生成の前に、入力されたデータビット２０を効率的に表示するためのデータ圧縮を実行することを含む。
【００２２】
変調インタリーバ２４は、エンコーダ２２から符号シンボルを受け取り、変調器２６による処理の前に、符号シンボルを「インタリーブ」する。図示された典型的なシステムでは、インタリーバ２４は、ブロックインタリーバ、又は畳み込みインタリーバである。このインタリーブされた符号シンボルは、変調器２６に渡される。無線デジタル通信では、多くの、異なるが、関連する変調スキームが、変調器２６内で使用されうる。例えば、バイナリ位相シフトキーイング（ＢＰＳＫ）、差分位相シフトキーイング（ＤＰＳＫ）、直交位相シフトキーイング（ＱＰＳＫ）（ＯＱＰＳＫ及びｎ／４ＱＰＳＫを含む）、及び直交振幅変調（ＱＡＭ）は、変調インタリーバ２４によって生成された符号シンボルを変調するために変調器２６内で使用することができるデジタル変調技術である。しかしながら、変調器２６は、如何なる具体的な調整を行う変調器にも限定されず、無線通信で使用される多くのデジタル変調器のうちの任意でありうる。本発明は、有線システムにも適用可能である。
【００２３】
図２に示すように、変調器２６は、変調された信号を、チャネルインタリーバ２８に送る。チャネルインタリーバ２８は、チャネルを越えて送信される信号の時間順を変更する。チャネルインタリーバ２８は、ブロックインタリーバ、畳み込みインタリーバ、又はターボインタリーバでありうる。要求されると、インタリーバ２８からのチャネルインタリーブされたシンボルは、シンボルパンクチャ要素３０に渡される。信号パンクチャ要素３０は、送信機と受信機との間の通信の適切な取り扱いのために、電力制御情報のような制御情報を、データ内に挿入することができる。メッセージシンボル内にパンクチャされた制御シンボルは、本願に引用して援用している本譲受人の係属中米国特許出願番号０３０２３７号（特許文献４）で開示されているように、メッセージシンボルに時分割多重通信される。要求されると、シンボルパンクチャ要素３０によって出力されたシンボルストリームは、デマルチプレクサ（ＤＥＭＵＸ）３２に送られる。デマルチプレクサ（ＤＥＭＵＸ）は、入力されたシンボルストリームを、多くの並列な出力シンボルストリームに分離するために使用される。図２に示すような典型的なＢＴＳ１６では、ＤＥＭＵＸ３２は、１−１６デマルチプレクサでありうる。
【００２４】
ＤＥＭＵＸ３２から、このストリームは、Ｗａｌｓｈ関数変調器３４（例えば１６次からなるＷａｌｓｈ関数行列を含むことができる）に送られる。その他の実施例では、６４次、又は１２８次からなるＷａｌｓｈ関数行列が使用されうる。典型的なシステム１０では、ＤＥＭＵＸ３２の並列出力は、単一ユーザ、マルチメディア層又はプログラム、あるいは複数の異なるユーザ／ストリーム／層に対応しうることが言及される。何れにせよ、Ｗａｌｓｈ変調は、ＤＥＭＵＸ３２から到来する並列な入力シンボルのおのおのに対して実行される。これは、各入力シンボルを、出力信号の各シーケンスに変換するために使用される。ここで、出力信号の各シーケンスは、出力信号の一つおきのシーケンスと直交している。
【００２５】
図２に示すように、擬似ランダム雑音（ＰＮ）スプレッダ３６が、当該技術分野で知られている原理に従って信号を「拡散」するために提供される。ＣＤＭＡ通信システムの一般的な原理、及び特に、通信チャネルによる送信のための拡散スペクトル信号の生成のための一般的な原理は、"Spread Spectrum Multiple Access Communication System Using Satellite or Terrestrial Repeaters”と題された米国特許第４，９０１，３０７号（特許文献５）で開示され、本発明の譲受人に譲渡されている。この特許、すなわち米国特許第４，９０１，３０７号（特許文献５）における開示は、参照により本願に完全に組み入れられる。更に、"System and Method for Generating Signal Waveforms in a CDMA Cellular Telephone System"と題され、本願の譲受人に譲渡されている米国特許第５，１０３，４５９号（特許文献６）は、ＣＤＭＡ拡散スペクトル通信信号を生成するためのＰＮ拡散、Ｗａｌｓｈデカバ、及び技術に関連する原理を開示している。この特許、すなわち米国特許第５，１０３，４５９号（特許文献６）における開示もまた、参照により本願に完全に組み入れられる。更に、本発明は、データの時間多重通信、及び「高データレート」通信システムに関する種々の原理を利用する。また、本発明は、"Method and Apparatus for High Rate Packet Data Transmission"と題され１９９７年１１月３日に出願された米国特許出願第０８／９６３，３８６号（特許文献７）で開示され、本発明の譲受人に譲渡されている「高データレート」通信システムに使用することができる。この特許出願における開示もまた、ここでは、本願に参照により完全に組み入れられる。
【００２６】
ＰＮスプレッダ３６から有限インパルス応答（ＦＩＲ）フィルタ３８に信号が送られる。ＦＩＲフィルタ３８は、通信チャネルによる送信前に、パルス整形信号のために使用されるＦＩＲフィルタでありうる。ＦＩＲフィルタ３８の出力は、ＢＴＳアンテナ４０を通じて、通信チャネルを介して移動局へ送られる。この通信チャネルは通常、送信機から受信機に信号を送るために使用される物理媒体と称される。
【００２７】
図３には、本ロジックの典型的で限定しない実施が示されている。このロジックは、別の方法でも示されうることが理解される。本質的に、このロジックは、チャネル条件、及び／又は移動局位置、及び／又は特定の層のために使用される順方向誤り訂正（ＦＥＣ）、及び／又はユーザ設定、移動デバイス能力等その他に基づいて、マルチメディアストリームのどの層を送信するのかを選択するためにＢＴＳプロセッサ１８によって実行される。また、マルチキャストを行うアプリケーションでは、この判定は、マルチキャストグループにおけるユーザの数及び位置に基づくことができる。移動局１２受信機が、マルチメディア信号の送信及び受信中である時間は、本願に参照により組み込まれており、本譲受人の係属中の米国特許出願番号０２０２９３号（特許文献８）、及び０３００７２号（特許文献９）に従って、携帯システムにおける帯域幅消費を制御、及び電力消費を低減するために最短化される。ＢＴＳ１６は、移動局から要求があると、本願に参照により組み込まれており、本譲受人の係属中の米国特許出願番号０２０５９０号（特許文献１０）、及び０２０５９１号（特許文献１１）に従って、利用可能な帯域幅と、現在のチャネル利用及び優先度とに基づいて、種々の層に対して異なるＦＥＣレート及び／又は異なる電力レベルを適用することができる。
【００２８】
ＢＴＳ１６のロジックの上述した一般記述を念頭において、図３のブロック４２が開始され、デフォルトのＦＥＣレート及び／又は電力を、各層について確立することができる。ブロック４４に進み、ＢＴＳ１６によって層が無線で送信され、一つ又は複数の移動局１２によって受信される。不変の誤りパラメータを達成するためにＦＥＣレートが調整されるように、電力が調整されることが理解されるべきである。
【００２９】
ブロック４６に進み、移動局１２からＢＴＳ１６へ（例えば、逆方向接続チャネル、ページングチャネル、オーバヘッドチャネル、又はその他のチャネルによって）フィードバックが送られる。このフィードバックは、例えば干渉、経験した実際のデータ誤り率、複数経路干渉、電力レベル等によって示されるような、例えばチャネル条件のようなマルチメディアデータに関連付けられた一つ又は複数の実際の動作パラメータを示す。このフィードバックは、移動局１２の位置に関連する情報に加えて、受信データにおける実際の、又は望まれるＦＥＣレートを示すこともできる。
【００３０】
このフィードバックに基づいて、ＢＴＳ１６は、送信されるマルチメディア層、及び／又は各層のための最も適切なＦＥＣレートを確かめることができる。これを行うための一つの限定しない典型的な方法がブロック４８で開始される。ここでは、各マルチメディア層に対して、このロジックが判定部５０に進み、移動局１２における実際の誤り率が高すぎるかが判定される。同等に、ＢＴＳ１６とＭＳ１２との間の距離が閾値を超えるか、又は、チャネル条件が閾値より下に下がったかを判定することができる。この閾値は経験的に決定することができる。あるいは、エンコーダが、層有用性に対する誤り条件に関連するテーブルを構築することができる。
【００３１】
ＭＳ１２によって報告されるように、検討中の層に対する実際の誤り率が、高すぎないのであれば、ロジックは、ブロック５２において、次の層を検索し、判定部５０に戻る。一方、誤り率が閾値を満足するか、又は閾値を超える場合には、ロジックは判定部５４に進み、ＭＳ１２が、例えばマルチメディアデータを符号化するためのより信頼性の高いＦＥＣレートに反映されているようなより高いＱｏＳを要求したかを判定する。もし要求したのであれば、好適な限定しない実施例において、ロジックは更に判定部５６に進み、信頼性に関して増加された誤り訂正実施（技術的には、下げられたＦＥＣレート）をサポートするために十分な帯域幅が存在するかを判定する。もし存在するのであれば、ブロック５８において、検討中の層に対するＦＥＣの信頼性が（例えば、ＦＥＣレートを下げることによって）高められる。
【００３２】
判定部５４，５６における何れか一方の検討が否定的であれば、ロジックはブロック６０に進む。ブロック６０では、ＢＴＳ１６が、送信から、検討中の層を除くことを選択する。あるいは、ＢＴＳ１６は、検討中の層について高い実際の誤り率を報告した特定の移動局１２に、検討中の層についてのデータが送信される期間、無線にエネルギーを与えないようにシグナルすることを選択する。あるいはＢＴＳ１６が再び、より少ない誤り訂正が実現されるが、帯域幅が節約されるように、ＦＥＣ符号化を低くすることを選択して良い。ブロック５８及び６０から、ロジックはブロック５２に戻る。従って、基本誤り率は、基本層に対して動的に確立され、エンハンスメント誤り率は、エンハンスメント層に対して動的に確立される。ここで、基本誤り率及びエンハンスメント誤り率とは、等しくなるように強制されていない。定期的に、ロジックは、ブロック４２で再び始まるかもしれない。
【００３３】
上述したように、層によってＦＥＣレート層を確立する代わりに、送信された各層のための電力を確立するために、ここに述べた高度な原理を用いることができる。本発明によって、移動デバイスにおける電力節電、低減したオーバザエア（ＯＴＡ）ＲＦ無線電力消費、減少したＯＴＡ受信機復調器電力、ＯＴＳ受信機復号電力及びマルチメディアアプリケーション復号節約という結果が得られる。更に、ＢＴＳは、システム帯域幅及び／又はシステムスペクトルの全体的な節約のみならず、ユーザ及びマルチキャストグループに対する帯域幅割り当てに対する制御を増強させた。
【００３４】
ここで示され詳細に記述された独特な「間違えやすいシステムにおいて帯域幅とＱｏＳとを管理する基地局中心の方法」が、本発明の上述した目的を完全に達成することができる一方、それは本発明の現在の好適な実施例であり、従って、本発明によって広く考慮される主要な問題の典型例であることと、本発明の範囲は、当該技術分野における熟練者に明らかになるであろうその他の実施例を完全に包含していることと、従って、本発明の範囲は、単数の要素に対する参照が、もしも「一つ又は複数」以外に明示的に記載されていないのであれば、「一つ及び一つのみ」を意味することが意図されていない特許請求の範囲以外の何れによっても制限されるべきではないこととが理解されるべきである。当該技術分野における熟練者に知られているか、あるいは後に知られることになる上述した好適な実施例の要素に対する全ての構造的及び機能的な等化物は、本願に参照により明確に組み込まれており、本特許請求の範囲によって含まれることが意図されている。更に、デバイス又は方法は、本発明によって解決されることが求められるそれぞれ及び全ての問題に対処する必要はない。なぜなら、それは特許請求の範囲によって含まれるべきだからである。更に、本開示におけるいかなる要素、部品、又は方法ステップとも、その要素、部品、又は方法ステップが特許請求の範囲において明示的に列挙されているかに関わらず、大衆に対してなされることが意図されていない。ここにおける特許請求の範囲のどの要素も、用語「ｍｅａｎｓ  ｆｏｒ」を用いて明確に列挙されていないのであれば、又は方法特許の場合、「動作」の代わりに「ステップ」として列挙されていないのであれば、３５Ｕ．Ｓ．Ｃ１１２条第６パラグラフの規定の下で解釈されるべきではない。
【図面の簡単な説明】
【００３５】
【図１】図１は、本アーキテクチャのブロック図である。
【図２】図２は、典型的であって、限定しない基地局（ＢＴＳ）のブロック図である。
【図３】図３は、本ロジックのフローチャートである。
【図１】
2006526965.tif 000003
【図２】
2006526965.tif 000004
【図３】
2006526965.tif 000005
【国際調査報告】
2006526965.tif 000006